(57)【要約】【課題】隣接する形材どうしが、水平方向の係止と垂直方向の係止とを個別に行って、位置ずれを生じ難いヒサシを提供する。【解決手段】建物の外壁（２）から外側方へ張り出すヒサシであって、複数の形材（８−１、８−２、８−３）を所定方向へ並べて連結して形成されたヒサシ本体（３）と、外壁に関して該ヒサシ本体（３）を支持する支持手段（４、４２、５２）とを備え、前記各形材（８−１、８−２、８−３）はその側部に第１又は第２の係合部（８ｄ、８ｅ）を有し、隣接する形材どうしが第１及び第２の係合部（８ｄ、８ｅ）の係合により水平方向に係止され、更に第１及び第２の係合部（８ｄ、８ｅ）の間に介在した連結ロッド（９）により垂直方向に係止される。【選択図】図４
2011006848.tif 000002
【特許請求の範囲】
【請求項１】
建物の外壁（２）から外側方へ張り出すヒサシであって、
複数の形材（８−１、８−２、８−３）を所定方向へ並べて連結して形成されたヒサシ本体（３）と、外壁に関して該ヒサシ本体（３）を支持する支持手段（４、４２、５２）とを備え、
前記各形材（８−１、８−２、８−３）はその側部に第１又は第２の係合部（８ｄ、８ｅ）を有し、隣接する形材どうしが第１及び第２の係合部（８ｄ、８ｅ）の係合により水平方向に係止され、更に第１及び第２の係合部（８ｄ、８ｅ）の間に介在した連結ロッド（９）により垂直方向に係止されることを特徴とするヒサシ。
【請求項２】
請求項１に記載のヒサシであって、
隣接する形材（８−１、８−２、８−３）どうしの第１及び第２の係合部（８ｄ、８ｅ）の間に更にシール部材（１０、１０´、１１）が介在された、ヒサシ。
【請求項３】
請求項１又は２に記載のヒサシであって、
前記支持手段（４、４２、５２）は、建物の外壁（２）と前記ヒサシ本体（３）の上面との間を連結して該ヒサシ本体の荷重を支持する支持アーム（４、４２、５２）である、ヒサシ。
【請求項４】
請求項１乃至３の何れかに記載のヒサシであって、
前記アーム（４２）は伸縮可能のアームである、ヒサシ。
【請求項５】
請求項１乃至４の何れかに記載のヒサシであって、
ヒサシ本体（３）のうち建物の外壁に近い側の形材（８−１）に雨樋部（８ｆ）が形成されている、ヒサシ。
【請求項６】
請求項１乃至４の何れかに記載のヒサシであって、
前記ヒサシ本体（３）のうち建物の外壁から遠い側の形材（８−３）に雨樋部（８ｇ）が形成されている、ヒサシ。形
【請求項７】
請求項１乃至６の何れかに記載のヒサシであって、
前記ヒサシ本体（３）の外側周辺には周辺部材（５）が設けられている、ヒサシ。
【請求項８】
請求項７に記載のヒサシであって、
前記周辺部材（５）の外側周辺には化粧部材（６）が設けられている、ヒサシ。
【発明の詳細な説明】
【技術分野】
【０００１】
この発明は、家屋やビルディング等の建物の外壁から外側方へ張り出したヒサシに関する。
【背景技術】
【０００２】
従来のヒサシの一例としては、特開２００７−１６２４１５号に示すものがあり、これによれば、複数の前後方向に伸びるアルミニウム又は合成樹脂製のヒサシ板２は、幅方向に連結される複数の中間板材２０と、幅方向両外側位置に設けた側板材２１及び２２とから構成され、この連結状態のヒサシ板２が保持具３により建物外壁面に取り付けられ且つ１対のアーム５によりヒサシ全体の荷重が支持される。
【０００３】
しかしながら、上記従来例によれば、ヒサシ板２を構成する複数の中間板材２０どうしの連結は該中間板材２０に一体形成した軸状部６０及び軸受部７０の係合、及び中間板材２０と両外側位置の側板材２１との間の連結はこれらに一体形成した突片６２と係止片７１との係合によって行なう。つまり互いの板材に設けた所定形状の係止片どうしを係合させるのみであった。
【０００４】
しかし、単に係止片どうしを係合させるのみの構成では隣接する板材どうしにずれ変位を生じやすいと言う問題点があり、また隣接する板材どうしの連結部に特にシール構成を設けていないため、雨が降ったとき、板材どうしの連結部分から漏水して雨漏りを生ずるという問題点があった。
【先行技術文献】
【特許文献】
【０００５】
【特許文献１】特開２００７−１６２４１５号公報
【発明の概要】
【発明が解決しようとする課題】
【０００６】
本発明は、複数の板状形材を連結するに際して、隣接する板状形材どうしの水平方向係合により水平方向係止を行うと共に、これら形材の間に連結ロッドを介在した垂直方向係合により垂直方向係止を行うことにより、強固な係止を行うと共に、更に上記係合部分にゴム等のロッドを介在してシールを行ったヒサシを提供することを目的とする。
【課題を解決するための手段】
【０００７】
上記問題点を解決するための、本発明の構成は、建物の外壁（２）から外側方へ張り出すヒサシであって、
複数の形材（８−１、８−２、８−３）を所定方向へ並べて連結して形成されたヒサシ本体（３）と、外壁に関して該ヒサシ本体（３）を支持する支持手段（４、４２、５２）とを備え、
前記各形材（８−１、８−２、８−３）はその側部に第１又は第２の係合部（８ｄ、８ｅ）を有し、隣接する形材どうしが第１及び第２の係合部（８ｄ、８ｅ）の係合により水平方向に係止され、更に第１及び第２の係合部（８ｄ、８ｅ）の間に介在した連結ロッド（９）により垂直方向に係止されることを特徴とするヒサシである。
【０００８】
好ましくは、隣接する形材（８−１、８−２、８−３）どうしの第１及び第２の係合部（８ｄ、８ｅ）の間に更にシール部材（１０、１０´、１１）が介在される。
また好ましくは、前記支持手段（４、４２、５２）は、建物の外壁（２）と前記ヒサシ本体（３）の上面との間を連結して該ヒサシ本体の荷重を支持する支持アーム（４、４２、５２）である。
【０００９】
更に好ましくは、前記アーム（４２）は伸縮可能のアームである。
更に好ましくは、ヒサシ本体（３）のうち建物の外壁に近い側の形材（８−１）に雨樋部（８ｆ）が形成されている。
【００１０】
あるいは好ましくは、前記ヒサシ本体（３）のうち建物の外壁から遠い側の形材（８−３）に雨樋部（８ｇ）が形成されている。
更に好ましくは、前記ヒサシ本体（３）の外側周辺には周辺部材（５）が設けられている。
【００１１】
更に好ましくは、前記周辺部材（５）の外側周辺には化粧部材（６）が設けられている。
【本発明の効果】
【００１２】
（１）  請求項１記載の発明によれば、隣接する形材どうしが、第１及び第２の係合部（８ｄ、８ｅ）の係合により水平方向に係止され、且つ第１及び第２の係合部（８ｄ、８ｅ）の間に介在した連結ロッド（９）により垂直方向に係止されるから、結局形材どうしは水平方向及び垂直方向を個別に係止されるため、従来例の如く単に係止片どうしを係合させるのみで板材どうしにずれ変位を生じやすいものに比して、位置ずれを生じ難く構成が安定するといいう効果がある。
（２）請求項２記載の発明によれば、隣接する形材どうし間にシール部材を設けているため、ヒサシ本体から雨漏りを生じない。
（３）請求項３記載の発明によれば、建物の外壁（２）と前記ヒサシ本体（３）の上面との間に支持アーム（４、４２、５２）を設けているため、ヒサシ本体の荷重が強固に支持されて安全性を向上し得る。
（４）請求項４記載の発明によれば、前記支持アーム（４２）が伸縮可能であるため、ヒサシ本体の傾斜をヒサシ前端を上げた状態（雨樋部が建物側に近い場合）又は下げた状態（雨樋部が建物側から遠い場合）に選択設定できる。
（５）請求項５記載の発明によれば、ヒサシ本体（３）のうち建物の外壁に近い側の形材（８−１）に雨樋部（８ｆ）を設けているので、雨を効率よく排水できる。
（６）請求項６記載の発明によれば、ヒサシ本体（３）のうち建物の外壁に遠い側の形材（８−３）に雨樋部（８ｇ）を設けているので、同様に雨を効率よく排水できる。
（７）請求項７記載の発明によれば、前記ヒサシ本体（３）の外側周辺に周辺部材（５）が設けられているから、形材を組合せて形成したヒサシ本体の構成が安定する。
（８）請求項８記載の発明によれば、前記周辺部材（５）の外側周辺には化粧部材（６）が設けられているから、ヒサシの美観を向上し得る。
【図面の簡単な説明】
【００１３】
【図１】本発明の第１の実施形態であるヒサシの斜視図である。
【図２】図１のヒサシのＩＩ−ＩＩ線に沿った断面図である。
【図３】図１のヒサシの中央形材の側面図である。
【図４】図１のヒサシの形材どうしの第１の連結係合部分の断面図である。
【図５】図１のヒサシの形材どうしの第２の連結係合部分の断面図である。
【図６】図１のヒサシの形材どうしの周辺部材と化粧部材の組付け状態の断面図である。
【図７】本発明の第２の実施形態であるヒサシの断面図である。
【図８】本発明の第３の実施形態であるヒサシの斜視図である。
【図９】図８のヒサシのＩＸ−ＩＸ線に沿った断面図である。
【図１０】図８のヒサシのヒサシ支持アームの平面図である。
【図１１】図６の化粧部材の変形例を示す断面図である。
【発明を実施するための形態】
【００１４】
図１及び図２は、本発明の第１の実施形態であるヒサシ１を示す。なお、図２は図中上下方向が水平方向である。以下の図７、図９についても同様である。
このヒサシ１は、建物の外壁２（図２）から前方水平方向へ張り出したヒサシ本体３と、ヒサシ本体３を外壁２へ固定支持する１対の支持アーム４と、ヒサシ本体３の外側周辺に設けた周辺部材５（図２及び図６参照）と、周辺部材５の外側周辺に設けた化粧部材６とを備える。
【００１５】
ヒサシ本体３は、複数（この場合３つ）の第１乃至第３の形材８−１、８−２、８−３をヒサシの幅方向（図１中矢印Ａ方向）へ伸びる状態で前後方向（同矢印Ｂ方向）へ順次並べて形成している。
【００１６】
各形材８−１、８−２、８−３は夫々、アルミニウム又は樹脂等を押出成型して作ったものであり、例えば形材８−２は、図３に示す如く、夫々紙面に対して直交する方向（以下、紙面直交方向という）に伸びる３つの空間８ａ−８ｃを有する軽量且つ高強度の構成とされている。形材８―２の図３中左方（最外側方）及び右方（最内側方）には夫々第１の係合部８ｄ及び第２の係合部８ｅが設けられている。なお、形材８は木材でもよい。
【００１７】
第１の係合部８ｄは、その上下に第１及び第２の係合凹部８ｄ１及び８ｄ２を有し、第１の係合凹部８ｄ１はその傾斜面上に紙面直交方向に伸びる小半円形溝８ｄ４と、その株の小径凹部８ｄ６とを有し、且つ第２の係合凹部８ｄ２はその垂直方向面上に紙面直交方向に伸びる大半円形溝８ｄ３と、他の傾斜面上に同方向に伸びる小半円形溝８ｄ５とを有する。
【００１８】
同様に、第２の係合部８ｅは、第１及び第２の係合凸部８ｅ１及び８ｅ２を有し、第１の係合凸部８ｅ１はその傾斜面上の小半円形溝８ｅ４を有し、且つ第２の係合凸部８ｅ２はその垂直方向面上の大半円形溝８ｅ３及び他の傾斜面上の小半円形溝８ｅ５を有する。他の形材８−１及び８−３も夫々、第２の形材８−２と同様に第１の係合部８ｄ及び第２の係合部８ｅを有する。
【００１９】
例えば、第２及び第３の形材８−２及び８−３を組付けるに際しては、図４に示す如く、第３の形材８−３の第２の係合部８ｅの、第１及び第２の係合凸部部８ｅ１及び８ｅ２を夫々、第２の形材８−２の第１の係合部８ｄの、第１及び第２の係合凹部８ｄ１及び８ｄ２に係合させる。これにより、第２及び第３の形材８−２及び８−３は図中左右方向、即ち、水平方向に互いに係止される（この時点ではまだ垂直方向には係止されていない）。同時に、第１及び第２の係合部８ｄ及び８ｅ間に、紙面直交方向に伸びる一つの大径孔８ｄ３、８ｅ３と、同方向に伸びる２つの小径孔８ｄ４、８ｅ４及び８ｄ５、８ｅ５と、小径孔（小径凹部）８ｄ６とが形成される。
【００２０】
そこで、例えば金属製（樹脂製でもよい）の連結ロッド９が、大径孔８ｄ３、８ｅ３に水平方向に挿入されると、第２及び第３の形材８−２及び８−３は連結ロッド９を介在して垂直方向（図中上下方向）にも互いに係止される。これにより、隣接する形材８−２及び８−３どうしは、形材自身の係合部により互いに水平方向に係止されると共に、別部材の連結ロッド９により互いに垂直方向に係止されて、水平方向及び垂直方向係止が個別に行われ両者が相俟って強固な係止が行われるため、形材どうしのずれ変位を生じ難く安定した構成が得られる。
【００２１】
更に、３本のゴム製ロッド１０、１０´、１１を夫々、１対の小径孔８ｄ４、８ｅ４；小径孔８ｄ６；及び８ｄ５、８ｅ５に挿入する。これにより、隣接する形材どうしの連結係合部のシールが完全となるため、雨が降ったとき、形材どうしの連結部分から漏水して雨漏りを生ずるということがない。なお、ゴムの材料としては、例えばＮＢＲ（ニトリル・ブタジエン・ラバー）であるが、これに限らず天然ゴムや種々の合成ゴム材料を使用し得る。
【００２２】
なお、実際の組付け手順は、最後にゴム製ロッド１０、１０´及び１１を挿入するのが難しい場合は、例えば第２の形材８−２上に１対のゴム製ロッド１０、１０´及び１１を組付けておき、これに対して第３の形材８−３を組み付けた後に、連結ロッド９を挿入して組付けてもよい。
【００２３】
また、上記実施形態では、隣接する形材どうし間に１本の連結ロッド９を設けているがこれに限らず２本以上設けても良く、また隣接する形材どうし間にゴム製ロッド１０、１０´及び１１は２本設けているがこれに限らず、１本又は３本以上でも良い。
【００２４】
次に、図５には、第２及び第１の形材８−２及び８−１を組付けた状況を示すが、その構成及び組付け手順は、図４の場合と同様である。
かくして、３つの形材８−１、８−２、８−３が連結形成される。なお、最も外壁２に近い側の形材８−１には雨樋部８ｆが設けられている。
【００２５】
周辺部材５は、図６中、紙面直交方向に伸びる１対の外側アーム部５ａと、同方向に伸びる１対の内側アーム部５ｂとを有する。この周辺部材５は、内側アーム部５ｂがヒサシ本体３の四辺の外側部に係止されて、更にねじ（図示せず）がヒサシ本体３の形材８−１、８−２、８−３の側部に露出したねじ受け孔８ｈ（図３参照）に螺合固定される。この周辺部材５により、上記連結ロッド９及びゴム製ロッド１０、１０´、１１が軸方向位置が安定に位置決めされる。
【００２６】
化粧部材６は、図６中、紙面直交方向に伸びる１対の外側化粧アーム部６ａと、同方向に伸びる１対の内側アーム部６ｂとを有する。この化粧部材６は、内側アーム部６ｂが周辺部材５の外側アーム部５ａに嵌合され、互いの係合突起６ｃ、５ｃが係合して係止される。これにより、上記周辺部材５のねじ等が隠されてヒサシ本体３の美観が向上する。かくして、ヒサシ本体３が完成する。
【００２７】
支持アーム４は、図２中、水平板部４ａが中間部材１２を介してボルト１３及びナット１４により第１及び第３の形材８−１及び８−３に固着され、またその垂直板部４ｂが板１５を介して外壁２にボルト（図示せず）により固定されており、これによりヒサシ本体３の荷重が支持アーム４により安定に支持される。
【００２８】
２１は、コーキングで、ヒサシ本体３及び外壁２間に設けられ、この箇所での雨漏りを防止する。
次に、図７は、本発明の第２の実施形態であるヒサシ３１を示し、同図中図2と同一部分には同一符号を付してその説明を省略する。このヒサシ３１では、雨樋部８ｇは、第１の形材８−１でなく第３の形材８−３に設けられている。
【００２９】
次に、図８乃至図１０は、本発明の第３の実施形態であるヒサシ４１を示し、同図中図１及び図２と同一部分には同一符号を付してその説明を省略する。このヒサシ４１では、ヒサシ本体３は第１及び第２の実施形態のヒサシ１及び３１のものと同一であるがこのヒサシ本体３が１対の伸縮支持アーム４２及び１対の固定アーム５２により支持されている。なお、雨樋部８ｆは第１の形材８−１に設けられているが、勿論第３の形材８−３に設けても良い。
【００３０】
図９中、伸縮支持アーム４２の筒形本体４２ａの後部はヒンジボルト４３を介して、垂直板４４に回動自在に接続され、垂直板４４はアンカーボルト４５により外壁２に対して固着されている。また筒形本体４２ａの前部にナット４６を介して設けた伸縮ボルト４７がヒンジボルト４８を介して、水平板４９に接続され、この水平板４９が第３の形材８−３にボルト５０及びナット５１により固着されている。
【００３１】
また、固定アーム５２はその後部が、垂直板５３により外壁２に対して固定され、且つその前部がボルト５４及びナット５５により水平板５６を介して第１の形材８−１に対して固定されている。
【００３２】
従って、上記第３のヒサシ４１によれば、伸縮支持アーム４２のナット４６を適宜回転させて締め直すことにより、伸縮ボルト４７の伸縮量を若干程度調節できるので、その分だけヒサシ本体３の第３の形材８−３の垂直方向（図９中では左右方向）位置を若干量だけ調節できる。従って、ヒサシ本体３の前端部を持ち上げた状態又は下げた状態に選択的に設定できる。ヒサシ本体３の前端部持ち上げ状態によれば雨はヒサシ本体３の後部（建物に近い側）に流れるから、雨は建物に近い側の雨樋部８ｆ（図８及び図９）に集められて流れ、またヒサシ本体３の前端部が下がった状態によれば雨はヒサシ本体３の前部（建物から遠い側）に流れるから、雨は建物から遠い側の雨樋部（図示せず）に集められて流れることができる。
【００３３】
図１１は、変形例としての化粧部材６−１を示すが、この化粧部材６−１によれば、外側方向アーム部６ａは４つ設けられている。外側方向アーム部６ａの個数はこれ以外に３個でもまた５個以上設けても良い。
【００３４】
上記各実施形態のヒサシ１、３１、４１において、形材８−１、８−２、８−３は夫々幅方向（図１中矢印Ａ方向）に伸びて前後方向（矢印Ｂ方向）に順次連結していたが、これに限らず夫々前後方向に伸びて幅方向に順次連結してもよく、場合によっては斜め方向に伸びてそれと直交する方向に順次連結してもよい。また、形材８−１、８−２、８−３の個数は３つに限ることなく、２つ又は４つ以上でもよい。
【符号の説明】
【００３５】
１、３１、４１  ヒサシ
２  外壁
３  ヒサシ本体
４  支持アーム
５  周辺部材
６  化粧部材
８−１  第１の形材
８−２  第２の形材
８−３  第３の形材
８ａ、８ｂ、８ｃ  空間
８ｄ  第１の係合部
８ｅ  第２の係合部
８ｄ１、８ｄ２  係合凹部
８ｅ１、８ｅ２  係合凸部
８ｄ３、８ｅ３  大径半円孔
８ｄ４、８ｄ５、８ｅ４、８ｅ５  小径半円孔
８ｄ６  小径孔
８ｆ、８ｇ  雨樋部
９  連結ロッド
１０、１０´、１１  ゴム製ロッド
４２  伸縮支持アーム
４７  伸縮ボルト
５２  固定アーム
【図１】
2011006848.tif 000003
【図２】
2011006848.tif 000004
【図３】
2011006848.tif 000005
【図４】
2011006848.tif 000006
【図５】
2011006848.tif 000007
【図６】
2011006848.tif 000008
【図７】
2011006848.tif 000009
【図８】
2011006848.tif 000010
【図９】
2011006848.tif 000011
【図１０】
2011006848.tif 000012
【図１１】
2011006848.tif 000013
【手続補正書】
【提出日】平成21年6月29日(2009.6.29)
【手続補正１】
【補正対象書類名】図面
【補正対象項目名】全図
【補正方法】変更
【補正の内容】
【図１】
2011006848.tif 000014
【図２】
2011006848.tif 000015
【図３】
2011006848.tif 000016
【図４】
2011006848.tif 000017
【図５】
2011006848.tif 000018
【図６】
2011006848.tif 000019
【図７】
2011006848.tif 000020
【図８】
2011006848.tif 000021
【図９】
2011006848.tif 000022
【図１０】
2011006848.tif 000023
【図１１】
2011006848.tif 000024